(57)【特許請求の範囲】
【請求項１】
押圧操作可能な操作部材と、
上記操作部材から上記押圧方向に向けて延出した軸部と、
上記操作部材に設けられ、上記軸部からの距離が長い長部と上記軸部からの距離が短い短部とが形成されるように、上記軸部を中心として、その外縁までの距離が変化される外周形状を有した操作部と、
上記操作部の上記短部から外方に向けて突出する爪部と、
上記操作部材が取り付けられるとともにカメラ本体の少なくとも一部を覆う外装部材と、
上記外装部材に設けられ、上記軸部を摺動自在に支持する軸孔と、
上記操作部材が上記外装部材に取り付けられた状態で、上記操作部の上記長部に対応する位置であって、上記外装部材に設けられ、上記爪部が挿入される挿入孔と、
上記外装部材に設けられ、上記爪部と当接可能な当接面と、
上記操作部材を上記爪部と当接面とが当接する方向に付勢する付勢手段と、
を具備し、上記操作部材を上記外装部材に取り付ける際に上記爪部を、上記挿入孔に挿入させた後に、上記操作部材を上記軸部を回転中心として回動させることにより、上記爪部が上記当接面と当接可能な位置となり、上記操作部材が回動させられて上記爪部が上記当接面と当接可能な位置にある状態で上記操作部により上記挿入孔が覆われることを特徴とする操作部材を有するカメラ。
【請求項２】
上記挿入孔に連続し上記軸孔を中心とした略円弧状の開口であって、上記爪部を上記当接面まで回転移動可能とするガイド部を有し、上記爪部が上記当接面と当接可能な位置にある状態で、上記操作部により上記ガイド部が覆われることを特徴とする請求項１に記載の操作部材を有するカメラ。
【請求項３】
上記操作部材を上記軸部を中心として回動させる際の上記爪部の軌跡上であって、上記外装部材上の所定の位置に上記押圧方向に突出して設けられ、上記爪部と係合可能な回動止め突起と、
上記爪部の一端部に設けられ、上記回動止め突起と当接可能な回動止め面と、
を具備し、上記操作部材を回動させて上記操作部材を上記外装部材に取付けた後は、上記回動止め突起と上記回動止め面とが当接可能となることにより、上記操作部材の上記軸部を中心とした所定方向の回動が規制されることを特徴とする請求項１記載の操作部材を有するカメラ。
【発明の詳細な説明】
【０００１】
【発明の属する技術分野】
この発明は、レリーズ釦等の操作部材を備えるカメラに関する。
【０００２】
【従来の技術】
従来より、カメラにおいては、カメラ本体に操作自在に配設されるレリーズ釦の取付構造として、例えば特開平１―２７６１２５号公報や特開平１―２５４９３７号公報に開示されるもの等が提案されている。
【０００３】
前者には、レリーズ釦に抜け止め用の爪を有した腕部を設ける。そして、カメラ外装には、上記レリーズ釦の爪付き腕が挿入される挿通孔を形成する。
【０００４】
上記構成により、レリーズ釦は、その腕を、その弾性を利用して撓ませた状態で、カメラ外装の挿通孔に挿入し、所定の位置まで挿入した状態で、腕がその弾性力により初期位置に広がり、その爪がカメラ外装の内壁に係止されて押圧操作可能に組付けるようにした取付構造が開示される。
【０００５】
また、後者には、レリーズ釦に釦軸を延出し、カメラ外装には、レリーズ釦の釦軸が挿入される挿通孔を形成する。そして、レリーズ釦をカメラ外装に組付ける場合には、レリーズ釦の釦軸をカメラ外装の外側より、挿通孔に挿入し、カメラ外装の内側より釦軸の先端部に抜け止め用止め輪を取り付けてカメラ外装に押圧操作可能に組付けるようにした取付構造が開示される。
【０００６】
しかしながら、上記レリーズ釦の取付構造では、前者の場合、レリーズ釦に形成する腕を、その撓み量等を考慮した長さ寸法に形成しておかないと、カメラ外装に組付けるために撓ますと、変形してしまったり、あるいは破損する虞がある。このため、レリーズ釦の腕の長さを、比較的、長く設定することが必要となり、その操作方向に大きなスペースが必要となり、大型となるという不具合を有する。
【０００７】
また、後者では、カメラ外装の外側より、レリーズ釦の釦軸を挿入して、内側より釦軸の先端部に止め輪を取付けなければならないために、その組立て作業が非常に面倒であるという不具合を有する。また、別体の止め輪を用意しなければならないために、その点からも組立て作業性の低下を招くという不具合を有する。
【０００８】
【発明が解決しようとする課題】
以上述べたように、従来のレリーズ釦の取付構造では、大型となるという不具合を有するものであったり、組立て作業が面倒であるという不具合を有する。
【０００９】
この発明は上記の事情に鑑みてなされたもので、構成簡易にして、小型化の促進を図り得、且つ、簡便にして容易な組立て作業を実現し得ようにした操作部材を有するカメラを提供することを目的とする。
【００１０】
【課題を解決するための手段】
この発明は、押圧操作可能な操作部材と、上記操作部材から上記押圧方向に向けて延出した軸部と、上記操作部材に設けられ、上記軸部からの距離が長い長部と上記軸部からの距離が短い短部とが形成されるように、上記軸部を中心として、その外縁までの距離が変化される外周形状を有した操作部と、上記操作部の上記短部から外方に向けて突出する爪部と、上記操作部材が取り付けられるとともにカメラ本体の少なくとも一部を覆う外装部材と、上記外装部材に設けられ、上記軸部を摺動自在に支持する軸孔と、上記操作部材が上記外装部材に取り付けられた状態で、上記操作部の上記長部に対応する位置であって、上記外装部材に設けられ、上記爪部が挿入される挿入孔と、上記外装部材に設けられ、上記爪部と当接可能な当接面と、上記操作部材を上記爪部と当接面とが当接する方向に付勢する付勢手段と、を具備し、上記操作部材を上記外装部材に取り付ける際に上記爪部を、上記挿入孔に挿入させた後に、上記操作部材を上記軸部を回転中心として回動させることにより、上記爪部が上記当接面と当接可能な位置となり、上記操作部材が回動させられて上記爪部が上記当接面と当接可能な位置にある状態で上記操作部により上記挿入孔が覆われる操作部材を有するカメラを構成した。
【００１１】
上記構成によれば、操作部材を、その軸部を外装部材の軸孔に付勢手段の付勢力に抗して挿入し、その爪部を外装部材の挿入孔を通す。そして、操作部材をその軸部回りに回動させることで、該爪部が外装部材の当接面に当接可能な位置となると共に、該挿入孔が操作部により覆われる。これにより、操作部材の外装部材への組付け作業を、外装部材の外観の美観を損なうことなく、容易に行うことが可能となり、しかも、操作部材の軸方向の小型化を図ることが可能となる。
【００１２】
また、この発明の操作部を有するカメラは、上記挿入孔に連続し上記軸孔を中心とした略円弧状の開口であって、上記爪部を上記当接面まで回転移動可能とするガイド部を有し、上記爪部が上記当接面と当接可能な位置にある状態で、上記操作部により上記ガイド部が覆われるように構成した。
【００１３】
上記構成によれば、操作部材の操作部を上記軸部を回転中心として回動させると、その爪部がガイド部に案内されて当接面と当接可能な位置となり、該当接面と当接可能な位置にある状態でガイド部を含む挿入孔が操作部により覆われる。従って、ガイド部も含めて操作部により覆われるので、外装部材の美観を損なうことがない。
【００１４】
また、この発明の操作部材を有するカメラは、上記操作部材を上記軸部を中心として回動させる際の上記爪部の軌跡上であって、上記外装部材上の所定の位置に上記押圧方向に突出して設けられ、上記爪部と係合可能な回動止め突起と、上記爪部の一端部に設けられ、上記回動止め突起と当接可能な回動止め面と、を備えて、上記操作部材を回動させて上記操作部材を上記外装部材に取付けた後は、上記回動止め突起と上記回動止め面とが当接可能となることにより、上記操作部材の上記軸部を中心とした所定方向の回動が規制されるように構成した。
【００１５】
上記構成によれば、外装部材の回動止め突起は、操作部材の爪部が、外装部材の当接面に収容されると、該爪部の回動止め面に対向され、操作部材が回動付勢されると、爪部の回動止め面が当接して、その回動を規制することにより、外装部材からの抜け防止を実現する。これにより、外装部材に押圧操作可能に組付けた操作部材の確実にして高精度な組付けが容易に実現される。
【００１６】
【発明の実施の形態】
以下、この発明の実施の形態について、図面を参照して詳細に説明する。
【００１７】
図１は、この発明の一実施の形態に係る操作部材を有するカメラを示すもので、図中１０は、図示しないカメラ本体の周囲に組付けられる外装部材を構成する後カバーである。この後カバー１０には、その中央部に凹部１０１が設けられ、この凹部１０１には、複数、例えば３個の釦孔１０２、１０３、１０４と表示孔１０５が並設されて設けられる。このうち釦孔１０２、１０３、１０４には、略Ｌ字形状の防水ゴム板１１の一端部に一体設けられた釦１１１、１１２、１１３が、それぞれ後カバー１０の内側から挿通される。他方、表示孔１０５には、上記カメラ本体（図示せず）に組付けられる図示しないＬＣＤ（液晶ディスプレイ）が対向配置される。
【００１８】
また、凹部１０１には、操作部材である操作釦１４、１５の軸部１４１、１５１が押圧操作可能に挿入される軸孔１２、１３が２個並設されて設けられる。これら操作釦１４、１５及び軸孔１２、１３は、図２及び図３に示すように略同様に構成されることで、便宜上、以後、一方を代表して説明し、同様の箇所に同様の符号を付して、その説明を省略する。
【００１９】
即ち、軸孔１２、１３に組付けられる操作釦１４、１５には、その軸部１４１、１５１の一端に軸中心に対してその外縁までの距離が変化される外周形状を有する例えば楕円形状の操作部１４２、１５２が設けられる。そして、この操作部１４２、１５２には、例えば外周部の短径側に略対称に一対の腕部１４３、１５３が軸方向に突出されて形成され、その各腕部１４３、１５３には、外側に突出したの抜け止め用突起１４４、１５４がそれぞれ設けられる。また、操作部１４２、１５２には、その外周部にＲ部１４５、１５５が形成される。
【００２０】
一方、上記後カバー１０の軸孔１２、１３の周囲には、一対の突起部挿入用の挿入孔１２１、１３１が上記操作釦１４、１５の操作部１４２、１５２の長径と短径の中間部位に略対称に設けられる。そして、後カバー１０の裏面側には、一対の腕部１４３、１５３の突起１４４、１５４が当接されて抜け止めの作用を奏する当接面を構成する一対の抜け止め部１２２、１３２が形成される。この抜け止め部１２２、１３２は、上記後カバー１０の裏面に例えば一段凹となるように形成され、この凹部の底面１２２ａ、１３２ａに上記突起１４４、１５４が当接される。
【００２１】
そして、上記腕部１４３、１５３が上記軸孔１２、１３を中心として回転移動可能とするガイド部１２３、１３３が上記軸孔１２、１３を中心とした略円弧状の開口として形成される。このガイド部１２３、１３３は、上記挿入孔１２１、１３１に連続して形成される。また、上記抜け止め部１２２、１３２は、上記後カバー１０の裏面側（内面側）であって、上記ガイド部１２３、１３３の外周側に形成される。更に、上記底面１２２ａ、１３２ａは、図３の断面図に示すように操作釦１４、１５を取付けた後カバー１０をカメラ本体に組付けた後であっても、操作釦１４、１５が脱着可能なように、挿入孔１２１、１３１まで延出している。なお、本実施形態では、抜け止め部１２２、１３２を一段凹となる形状としているが凹形状とせずに後カバー１０の他の面と同一面としても良い。
【００２２】
上記操作釦１４、１５は、その軸部１４１、１５１を付勢手段であるコイルばね１６にそれぞれ挿入した状態で、該軸部１４１、１５１がその先端より後カバー１０の軸孔１２、１３に挿入される。この際、操作釦１４、１５は、その一対の腕部１４３、１５３を後カバー１０の挿入孔１２１、１３１に挿入した後、上記コイルばね１６の付勢力に抗して軸方向である矢印方向に押し込みながら、その軸部１４１、１５１を中心として抜け止め部方向に回動させて、その突起１４４、１５４が抜け止め部１２２、１３２に収容される。即ち、当接面である上記底面１２２ａ、１３２ａと当接可能な位置に上記突起１４４、１５４が位置することとなる。
【００２３】
ここで、コイルばね１６は、操作釦１４、１５に対して離脱方向（矢印と逆方向）の付勢力を付与する。これにより、操作釦１４、１５は、その操作部１４２、１５２の腕部１４３、１５３の突起１４４、１５４がコイルばね１６の付勢力により後カバー１０の抜け止め部１２２、１３２に当接されて後カバー１０に組付けられ、その矢印方向への押圧操作がコイルばね１６の付勢力に抗して可能となる。
【００２４】
上記防水ゴム板１１は、その他端部に凹部１１４、１１５が上記後カバー１０の各軸孔１２、１３に対応してそれぞれ設けられる。そして、この凹部１１４、１１５には、嵌合孔１１６、１１７が操作釦１４、１５の軸部１４１、１５１に対応して設けられる。この凹部１１４、１１５の嵌合孔１１６、１１７は、それぞれ防水ゴム板１１の内側に配設される印刷配線基板１７上に設けられたスイッチ接点１７１に対向される。この印刷配線基板１７は、例えば上記カメラ本体（図示せず）に取付配置され、上記後カバー１０に組付けられた操作釦１４、１５の軸部１４１、１５１により、そのスイッチ接点１７１が押圧されると、該スイッチ接点１７１が電極１７２に接続されてオンされ、その操作信号が図示しない制御装置に入力され、ここに、図示しないカメラ部品等の制御が行われる。
【００２５】
また、上記後カバー１０の凹部１０１には、外装パネルであるパネル１８が嵌合されて取り付けられる。このパネル１８は、その中央部に、透過窓１８１が後カバー１０の表示孔１０５に対応して設けられ、この透過窓１８１の周囲部は、例えば黒色塗装が施された黒色塗装領域１８２が設けられる。そして、このパネルの黒色塗装域１８２には、３個の釦孔１８３、１８４、１８５が上記後カバー１０の釦孔１０２、１０３、１０４に対応して設けられると共に、上記操作釦１４、１５の操作部１４２、１５２が収容される孔部として２個の釦孔１８６、１８７が、上記後カバー１０の軸孔１２、１３に対応して所定の間隔を有して設けられる。
【００２６】
このうち釦孔１８６、１８７は、共に上記操作釦１４、１５の操作部１４２、１５２の外周形状と略同様にその中心より外縁までの距離が変化するように形成され、その後カバー側の周縁部に面取り部１８８、１８９が設けられる。よって、釦孔１８６、１８７は、本実施形態においては操作部１４２の形状に対応して楕円形状に形成される。このパネル１８は、後カバー１０の凹部１０１に嵌合させる際、その釦孔１０２、１０３、１０４に対して防水ゴム１１に一体形成された釦１１１、１１２、１１３が挿通され、その釦孔１８６、１８７に対して後カバー１０の軸孔１２、１３に組付けた操作釦１４、１５の操作部１４２、１５２が挿入される。この際、操作釦１４、１５は、上記パネル１８の釦孔１８６、１８７の内周壁に設けられた面取り部１８８、１８９が操作釦１４、１５のＲ部１４５、１５５と当接して案内されることにより、上記軸孔１２、１３を中心として回動される。これにより、上記釦孔１８６、１８７と操作部１４２、１５２との上記軸孔１２、１３を中心とした回転方向の位置が合致する。
【００２７】
即ち、上記操作釦１４、１５を後カバー１０に取付けた状態では、上記軸孔１２、１３を中心として操作釦１４、１５が回転可能であるため、操作釦１４、１５の回転位置が正規の位置にない場合がある。よって、本実施形態においては、上述のように面取り部１８８、１８９、Ｒ部１４５、１５５を設けることにより、若干の操作釦１４、１５の位置ずれが生じていてもパネル１８を組付けることで操作釦１４、１５が正規の位置となるようにしている。そして、パネル１８は、後カバー１０に設けられた凹部１０１の所望の位置に嵌合される。
【００２８】
このように、操作釦１４、１５は、パネル１８の釦孔１８６、１８７に収容されることで、回動力が付与された場合、その操作部１４２、１５２の外周部がパネル１８の釦孔１８６、１８７の内壁に当接して、その回動が規制され、押圧操作のみが可能に組付けられる。
【００２９】
上記構成において、後カバー１０の内側には、防水ゴム板１１が、その釦１１１、１１２、１１３を釦孔１０２、１０３、１０４に挿通させて取り付けられる。この状態で、操作釦１４、１５は、その軸部１４１、１５１の周囲にコイルばね１６を取り付けて、軸部１４１、１５１の先端を後カバー１０の軸孔１２、１３に挿入すると共に、その一対の腕部１４３、１５３の突起１４４、１５４を後カバー１０の挿入孔１２１、１３１にそれぞれ挿入する。
【００３０】
次に、操作釦１４、１５は、コイルばね１６の付勢力に抗して図３中矢印方向に押し込みながら、その軸部１４１、１５１を中心として腕部１４３、１５３をガイド部１２３、１３３に沿って抜け止め部方向に回動させて、その突起１４４、１５４を抜け止め部１２２、１３２に移動させる。ここで、操作釦１４、１５は、その突起１４４、１５４がコイルばね１６の付勢力により後カバー１０の抜け止め部１２２、１３２に当接された状態で、後カバー１０の凹部１０１に組付けられる。
【００３１】
そして、後カバー１０の凹部１０１には、パネル１８が、その釦孔１８３、１８４、１８５及び１８６、１８７に対して上述したように釦１１１、１１２、１１３及び操作釦１４、１５を外部操作可能に収容して取り付けられる。このパネル１８は、その操作釦１４、１５の操作部１４２、１５２の周囲に露出される挿入孔１２１、１３１及びガイド部１２３、１３３の一部を目隠しする如く遮蔽する。また、操作釦１４、１５は、その操作部１４２、１５２がパネル１８の釦孔１８６、１８７に収容され、操作部１４２、１５２の外周部がパネル１８の釦孔１８６、１８７の内壁に対向されることで、仮に回動力が付与された場合にも、釦孔１８６、１８７により、その回動が規制され、初期の押圧操作位置が確保される。このようにして組付けられた操作釦１４、１５は、図３の断面図に示すように上記軸部１４１、１５２方向に押圧操作可能となっている。なお、図３においては、中心線の上下で非押圧操作時と押圧操作時とをそれぞれ示す。
【００３２】
このパネル１８の釦孔１８６、１８７に収容された操作釦１４、１５の操作部１４２、１５２は、コイルばね１６の付勢力に抗して押圧操作されると、その軸部１４１、１５１が後カバー１０の軸孔１２、１３に案内されて矢印方向に移動され、その先端部が印刷配線基板１７に設けられたスイッチ接点１７１の背面側を、電極方向に移動付勢して、電極１７２に接続させ、オンさせる。このスイッチ接点１７１が電極１７２に接続されると、そのオン信号が図示しない制御装置に入力されて、図示しないカメラ部品等の制御が行われる。
【００３３】
また、上記操作釦１４、１５は、その操作部１４２、１５２の押圧操作が解除されると、コイルばね１６の付勢力により、初期位置方向に移動付勢される。そして、操作釦１４、１５は、初期位置に到達すると、その突起１４４、１５４が後カバー１０の抜け止め部１２２、１３２に当接されて初期の押圧操作可能な操作位置に復帰される。この際、スイッチ接点１７１は、それ自体の弾性力により、電極１７２から離間されてオフ位置に復帰される。
【００３４】
このように、上記操作部材を有するカメラは、操作釦１４、１５に軸部１４１、１５１、一対の腕部１４３、１５３及び突起１４４、１５４を設けて、後カバー１０に軸孔１２、１３と、軸孔１２、１３の周囲に一対の挿入孔１２１、１３１及び抜け止め部１２２、１３２を設け、操作釦１４、１５の軸部１４１、１５１を後カバー１０の軸孔１２、１３に挿入すると共に、一対の腕部１４３、１５３及び突起１４４、１５４を後カバー１０の挿入孔１２１、１３１に挿入して、操作釦１４、１５を、その軸部１４１、１５１を回転中心として回動させることにより、突起１４４、１５４が後カバー１０の抜け止め部１２２、１３２の底面１２２ａ，１３２ａと当接可能なようにすることで、操作釦１４、１５の後カバー１０からの脱落を防止する抜け止め機能を得るように構成した。
【００３５】
これによれば、操作釦１４、１５の後カバー１０への組付け作業を、後カバー１０の外側からの一方向からのみで容易に行うことが可能となり、しかも、操作釦１４、１５に従来の腕の如き弾性変形部を備えることがなくなるために、操作釦１４、１５の軸方向の最小限化を図ることができて、カメラの小型化の促進を図ることができる。
【００３６】
また、上記操作部材を有するカメラは、操作釦１４、１５の操作部１４２、１５２を、その軸部１４１、１５１の回転中心より、外縁までの距離が変化する楕円形状に形成し、この操作釦１４、１５の操作部１４２、１５２を、パネル１８に同様に孔の中心より外縁までの距離が変化する楕円形状の釦孔１８６、１８７内に収容配置して、このパネル１８で操作釦１４、１５の回動を防止するように構成した。
【００３７】
これによれば、パネル１８は、その釦孔１８６、１８７で、操作釦１４、１５の操作部１４２、１５２の回動を規制することにより、後カバー１０に対して押圧操作可能に組付けた操作釦１４、１５の回動を規制して、該操作釦１４、１５の突起１４４、１５４の後カバー１０の抜け止め部１２２、１３２からの離脱を規制し、後カバー１０からの抜け防止を実現しているため、後カバー１０に押圧操作可能に組付けた操作釦１４、１５の、確実にして容易な組付けが実現される。
【００３８】
更に、上記突起１４４、１５４が当接する底面１２２ａ、１３２ａは、挿入孔１２１、１３１まで延出するように形成されているため、後カバー１０をカメラ本体に組付けた状態であっても、操作釦１４、１５を脱着することが可能となっている。
【００３９】
また、パネル１８の上記釦孔１８６、１８７の周囲に、内部が視認不能とするための非透過部として、黒色塗装領域１８２を設け、この黒色塗装領域１８２が上記ガイド孔１２３、１３３を覆うようにすることで、何ら部品点数を増やすことなく、美観を良くすることが可能となっている。
【００４０】
また、上記実施の形態では、操作釦１４、１５の操作部１４２、１５２を、その軸部１４１、１５１の回転中心より、外縁までの距離が変化する楕円形状に形成すると共に、パネル１８の釦孔１８６、１８７を同様に孔の中心より外縁までの距離が変化する楕円形状に形成するように構成した場合で説明したが、これに限ることなく、その他、操作釦１４、１５の操作部１４２、１５２を、その軸部１４１、１５１の回転中心より、外縁までの距離が変化する長円形あるいは多角形に形成し、且つ、パネル１８の釦孔１８６、１８７を、同様にその孔の回転中心より、外縁までの距離が変化する同様の形状に形成しても略同様の効果が期待される。
【００４１】
なお、この発明は、上記実施の形態に限ることなく、その他、図４乃至図７に示すように構成することも可能で、略同様の効果を期待することができる。この図４乃至図７においては、上記図１乃至図３と同一部分について、同一符号を付して、その詳細な説明を省略する。
【００４２】
図４乃至図６の実施の形態においては、後カバー１０の軸孔１２、１３の周囲に一対の挿入孔２０１、２１１を上記操作釦１４、１５の操作部１４２、１５２の長径側に対応して略対称に形成して、この一対の挿入孔２０１、２１１に対応して後カバー１０の裏面には、上記突起１４４、１５４が収容されて抜け止めの作用を奏する当接面を構成する、例えば一対の凹状の突起収容部２０２、２１２を、上記操作釦１４、１５の操作部１４２、１５２の短径側に対応して例えば略対称に形成する。そして、上記腕部１４３、１５３が上記軸孔１２、１３を中心として回転移動可能とするガイド部２０３、２１３が、上記軸孔１２、１３を中心とした略円弧状の開口として形成される。このガイド部２０３、２１３は、上記挿入孔２０１、２１１に連続して形成されると共に、上記軸孔１２、１３を中心として上記操作部１４２、１５２の短径側よりも、小さな円弧形状となっている。また、上記突起収容部２０２、２１２は、上記後カバー１０の裏面側（内面側）であって、上記ガイド部２０３、２１３の外周側に形成される。
【００４３】
上記突起収容部２０２、２１２は、上記操作部１４、１５の上記後カバー１０からの脱落を防止するための抜け止め機能と、上記軸孔１２、１３を中心とした上記操作釦１３、１４の回転を防止するための回転止め機能とを有する。即ち、上記抜け止め機能を奏するために、上記突起収容部２０２、２１２の凹部底面２０２ａ、２１２ａが、上記突起１４４、１５４が当接する当接面となる。また、上記回転止めの機能を奏するために、上記突起収容部２０２、２１２の凹部の側壁２０２ｂ、２１２ｂを有する。特に、図６中左側に示す側壁２０２ｂ、２１２ｂは、上記操作釦１４、１５の図４中反時計回りの回動を防止しており、突起１４４、１５４が挿入孔２０１、２１１と合致する位置へと移動して、使用中に操作釦１４、１５が脱落することを防止している。
【００４４】
上記構成により、操作釦１４、１５を後カバー１０に組付ける場合には、先ず、操作部１４２、１５２の腕部１４３、１５３を、突起１４４、１５４とともに後カバー１０の挿入孔２０１、２１１に挿入し、スプリングばね１６の付勢力に抗して矢印方向に押圧して図６中Ａ位置に移動させ、この状態でガイド部２０３、２１３に沿って突起収容部方向に回動させてＢ位置に移動させ、その突起１４４、１５４を突起収容部２０２、２１２に対向させる。ここで、操作釦１４、１５の操作部１４２、１５２の押圧操作を解除すると、該操作部１４２、１５２は、スプリングばね１６の付勢力により、その軸部１４１、１５１が矢印方向と逆方向に移動され、突起１４４、１５４が突起収容部２０２、２１２に収容されるＣ位置に移動される。
【００４５】
これにより、操作釦１４、１５は、その軸部１４１、１５１が後カバー１０の軸孔１２、１３に押圧操作自在に組けられた状態で、その腕部１４３、１５３の突起１４４、１５４の両側部が突起収容部２０２、２１２の側壁２０２ｂ、２１２ｂに対向され、該側壁によりその突起１４４、１５４が規制されることで、回動が規制される。また、この操作釦１４、１５の操作部１４２、１５２は、後カバー１０に形成した挿入孔２０１、２１１、ガイド部２０３、２１３を遮蔽して、ガイド部２０３、２１３の外部からの視認を阻止する作用も奏する。
【００４６】
このようにして、操作釦１４、１５を組付けた後カバー１０を、印刷配線基板１７が配されたカメラ本体３００を覆うように組付ける。
【００４７】
そして、このように組付けられた操作釦１４、１５は、図５に示すようにその押圧操作範囲内では、突起１４４、１５４が突起収容部２０２、２１２から外れない。即ち、操作釦１４、１５は、印刷配線基板１７が配されるカメラ本体３００により、その操作量が規制されると共に、突起収容部２０２、２１２の凹量は、突起１４４、１５４の操作方向における厚さと、押圧操作量とに応じて設定される。これにより、後カバー１０をカメラ本体３００に組付ける前では、操作釦１４、１５の押圧方向は何ら規制されないため、後カバー１０に操作釦１４、１５を組付けることが可能となっており、また、後カバー１０をカメラ本体３００に組付けた後は、突起１４４、１５４が突起収容部２０２、２１２から脱落することがない。
【００４８】
また、図７の実施の形態においては、上述した図４乃至図６の実施の形態における操作釦１４、１５の操作部１４２、１５２の一対の腕部１４３、１５３に形成した突起１４４、１５４の上面側に組付け回動方向に先細りに傾斜した傾斜面３０、３１を形成する。他方、後カバー１０には、その１組となる挿入孔２０１、２１１と突起収容部２０２、２１２との間には、組付け回動方向に先細りに傾斜した傾斜面３２、３３を上記操作釦１４、１５の操作部１４２、１５２の突起１４４、１５４の傾斜面３０、３１に対応して形成する。
【００４９】
上記構成により、操作釦１４、１５を後カバー１０に組付ける場合には、先ず、操作釦１４、１５の腕部１４３、１５３を、突起１４４、１５４とともに後カバー１０の挿入孔２０１、２１１内のＡ位置まで挿入し、ガイド部２０３、２１３に沿って突起収容部方向に回動させる。ここで、操作釦１４、１５の突起１４４、１５４は、その傾斜面３０、３１が後カバー１０の傾斜面３２、３３に摺動されるＢ位置を経由して突起収容部２０２、２１２に対向するＣ位置まで移動されると、そのコイルばね１６の付勢力により、その軸部１４１、１５１が矢印方向と逆方向に移動され、突起収容部２０２、２１２に収容される。
【００５０】
この収容状態において、操作釦１４、１５は、その軸部１４１、１５１が後カバー１０の軸孔１２、１３に押圧操作自在に組けられた状態で、その腕部１４３、１５３の突起１４４、１５４の両側部が突起収容部２０２、２１２の側壁２０１ｂ、２１２ｂに対向され、該側壁２０２ｂ、２１２ｂによりその突起１４４、１５４が規制されることで、回動が規制される。この実施の形態によれば、さらに、操作釦１４、１５の後カバー１０への組付け作業性の向上を図ることが可能となる。
【００５１】
これら図４乃至図７に示す実施の形態においては、突起収容部２０２、２１２が、操作釦１４、１５の抜け止め機能を果たすと共に、回転止め機能を果たすため、上述の実施形態に比べ、パネル１８を廃止することも可能となる。また、ガイド部２０３、２１３を操作部１４２、１５２の短径側よりも小さい円弧とすると共に、挿入孔２０１、２１１を操作部１４２、１５２の長径側となるように構成したので、操作部１４２、１５２によりこれらの孔部が覆われ、美観を損なうこともない。また、図４乃至図７に示す実施の形態においても、操作部１４２、１５２を楕円形状としたが、上述の効果を得るためには、操作部１４２、１５２をその軸部１４１、１５１の中心から外縁までの距離が変化する形状であれば良い。
【００５２】
また、上記各実施の形態においては、操作部１４、１５の操作部１４２、１５２に形成する腕部１４３、１５３を、一対２個で構成した場合で説明したが、この数に限ることなく、構成可能である。
【００５３】
さらに、この発明による押圧部材としては、各種の機能操作釦に限るものでなく、レリーズ釦においても適用可能である。
【００５４】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００５５】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００５６】
上述した実施の形態に基づいて
（１）押圧操作可能な操作部材と、
上記操作部材から上記押圧方向に向けて延出した軸部と、
上記操作部材の外方に向けて突出する爪部と、
上記操作部材が取り付けられるとともにカメラ本体の少なくとも一部を覆う外装部材と、
上記外装部材に設けられ、上記軸部を摺動自在に支持する軸孔と、
上記外装部材に設けられ、上記爪部が挿入される挿入孔と、
上記外装部材に設けられ、上記爪部と当接可能な当接面と、
上記操作部材を上記爪部と当接面とが当接する方向に付勢する付勢手段と、
を具備し、上記操作部材を上記外装部材に取り付ける際に上記爪部を、上記挿入孔に挿入させた後に、上記操作部材を上記軸部を回転中心として回動させることにより、上記爪部が上記当接面と当接可能な位置となることを特徴とする操作部材を有するカメラを提供することができる。
【００５７】
（２）上記（１）の記述に、さらに上記操作部材に設けられ、上記軸部を中心とする略楕円形の外周形状を有した操作部と、
上記操作部の外形に対応した孔部を有し、上記外装部材に取り付けられるパネルと、
を具備し、上記操作部材は、上記外装部材に取り付けられた状態で、上記パネルにより上記軸部を回転中心とした回動が規制されることを特徴とする操作部材を有するカメラを提供することができる。
【００５８】
（３）上記（１）の記述に、さらに上記操作部材に設けられ、上記軸部を中心とする略長円形の外周形状を有した操作部と、
上記操作部の外形に対応した孔部を有し、上記外装部材に取り付けられるパネルと、
を具備し、上記操作部材は、上記外装部材に取り付けられた状態で、上記パネルにより上記軸部を回転中心とした回動が規制されることを特徴とする操作部材を有するカメラを提供することができる。
【００５９】
（４）上記（１）の記述に、さらに上記操作部材に設けられ、上記軸部を中心とする略多角形の外周形状を有した操作部と、
上記操作部の外形に対応した孔部を有し、上記外装部材に取り付けられるパネルと、
を具備し、上記操作部材は、上記外装部材に取り付けられた状態で、上記パネルにより上記軸部を回転中心とした回動が規制されることを特徴とする操作部材を有するカメラを提供することができる。
【００６０】
【発明の効果】
以上詳述したように、この発明によれば、構成簡易にして、小型化の促進を図り得、且つ、簡便にして容易な組立て作業を実現し得ようにした操作部材を有するカメラを提供することができる。
【図面の簡単な説明】
【図１】この発明の一実施の形態に係る操作部材を有するカメラの要部を取り出して示した分解斜視図である。
【図２】図１の取付状態を正面から見た状態を示した平面図である。
【図３】図２のＡ―Ａを断面して示した断面図である。
【図４】この発明の他の実施の形態に係る操作部材を有するカメラの要部を示した平面図である。
【図５】図４のＡ―Ａを断面して示した断面図である。
【図６】図４の取付動作を説明するために示した断面図である。
【図７】この発明の他の実施の形態に係る操作部材を有するカメラの要部を示した断面図である。
【符号の説明】
１０  …  後カバー。
１０１  …  凹部。
１０２、１０３、１０４  …  釦孔。
１０５  …  表示孔。
１１  …  防水ゴム板。
１１１、１１２、１１３  …  釦。
１２、１３  …  軸孔。
１２１、１３１  …  挿入孔。
１２２、１３２  …  抜け止め部。
１４、１５  …  操作釦。
１４１、１５１  …  軸部。
１４２、１５２  …  操作部。
１４３、１５３  …  腕部。
１４４、１５４  …  突起。
１６  …  コイルばね。
１７  …  印刷配線基板。
１７１  …  スイッチ接点。
１７２  …  電極。
１８  …  パネル。
１８１  …  透過窓。
１８２  …  黒色塗装領域。
１８３、１８４、１８５、１８６、１８７  …  釦孔。
２０１、２１１  …  挿入孔。
２０２、２１２  …  突起収容部。
３０、３１  …  傾斜面。
３２、３３  …  傾斜面。
３００  …  カメラ本体。
【図１】
0003963707.tif 000002
【図２】
0003963707.tif 000003
【図３】
0003963707.tif 000004
【図４】
0003963707.tif 000005
【図５】
0003963707.tif 000006
【図６】
0003963707.tif 000007
【図７】
0003963707.tif 000008